(57)【特許請求の範囲】
【請求項１】
筐体本体部と、この筐体本体部の前部を覆う筐体前部とで構成される筐体を備えた空気調和機において、
前記筐体前部は、筐体前部本体と、吸込口を備えたフロントパネルと、吹出口を備えた吐出カバーとを備え、
前記筐体の内部には、前記吸込口と前記吹出口との間の通風路に貫流ファンが配置され、
前記フロントパネルは、第１連結部を介して、前記筐体前部本体の上部に開放可能に取り付けられ、
前記吐出カバーは、横風向板及び縦風向板を備え、前記貫流ファンの動作時に、前記通風路の一部を形成するとともに、前記貫流ファンを前記通風路に残して、前記筐体前部本体の下部に第２連結部を介して下方に開放可能に取り付けられている
ことを特徴とする空気調和機。
【請求項２】
請求項１記載の空気調和機において、前記吐出カバーは、前記筐体の底面の一部を構成する底面部と、前記貫流ファンの吹出風路から前記吹出口に至る吐出風路を形成し且つ前記底面部との間に三角形状の空間を形成する風路壁と、前記底面部の両側から延びて前記筐体の両側面の一部を構成する側面部を有し、前記底面部の後側端部が前記第２連結部で軸支され、その第２連結部の前方の底面部及び前記風路壁が下方に開放可能に設けられていることを特徴とする空気調和機。
【請求項３】
請求項１記載の空気調和機において、前記吐出カバーは、その後側が前記第２連結部で軸支され、その前方を下方に開放可能に設けられ、前記吐出カバーを開放可能とするロックスイッチを、該吐出カバーの前側に設けたことを特徴とする空気調和機。
【請求項４】
請求項１記載の空気調和機において、前記吐出カバーは、前記通風路と連通する風路壁を備え、前記風路壁に前記横風向板と前記縦風向板とを備えたことを特徴とする空気調和機。
【請求項５】
請求項１から請求項４記載の何れかの空気調和機において、前記第２の連結部は、前記吐出カバーの開放動作を抑制する手段を備えたヒンジ機構を備えていることを特徴とする空気調和機。
【請求項６】
請求項１から請求項５記載の何れかの空気調和機において、前記吐出カバーは、前記横風向板または前記縦風向板を駆動する風向板モータを備えていることを特徴とする空気調和機。
【請求項７】
請求項１から請求項６記載の何れかの空気調和機において、前記吐出カバーは、ヒンジ機構を介して前記通風路側の前記筐体に軸支され、第１の所定角度で開放の一次ロックが掛かり、且つ第２の所定角度で開放の二次ロックが掛る係止具を備えていることを特徴とする空気調和機。
【発明の詳細な説明】
【０００１】
【発明の属する技術分野】
本発明は、空気調和機に係り、特に高所に配置され筐体の底面の吹出口に至る吐出風路に横風向板及び縦風向板を備えた空気調和機に好適なものである。
【０００２】
【従来の技術】
従来の空気調和機として、特開平９−４９１６号公報（従来技術１）に示されているように、ルーバーをユニット化するとともに、通風路から容易に着脱自在な構成にして、メンテナンス作業性の向上を図るとともに、送風機の耐久性の向上と、快適空調に寄与する空気調和機の室内ユニットを提供するために、被空調空気を吸込んで熱交換させ、熱交換した空気を送風する送風機を備えたユニット本体と、上記送風機から吹出される熱交換空気を吹出し案内する通風路と、この通風路の端部に開口される熱交換空気の吹出し口と、この吹出し口に配置され、ここから吹出される熱交換空気の方向を変更する水平ルーバー及び縦ルーバーユニットとを具備し、上記縦ルーバーユニットは、通風路に対して着脱自在に取付けたものがある。
【０００３】
また、従来の空気調和機として、特開平７−２６０１９２号公報（従来技術２）に示されているように、保守点検や部品交換等の作業が容易でサービス性が良く、作業も安全に行える空気調和機の室内ユニットを提供するために、ユニット本体を第１、第２の室内熱交換器を収納し吸込口を有する上側ユニット部と室内ファン及びファンモータや電気部品箱を収納し横断するルーバーを備えた吹出口を有する下側ユニット部とに分割可能としており、室内ファンやファンモータ等の保守点検や部品交換の作業、あるいは第１の室内熱交換器、第２の室内熱交換器等のユニット本体内側の清掃作業を行う際には、ユニット本体を上側ユニットと下側ユニットとに分離し、分離した各ユニット部毎に十分な作業空間を確保した上で所定の作業を行うようにしたものがある。そして、吹出口を横断するルーバーを開閉するルーバモータは電気部品箱と同じ側に配置されている。
【０００４】
【発明が解決しようとする課題】
しかし、従来技術１では、吹出口から手を差し込んで送風機のメンテナンス作業を行なうためには、横流ファンを水平ルーバーを取外した後に縦ルーバユニットを取外すという独立した二つの面倒な作業が必要であり、高所に据付けられる空気調和機の室内ユニットにおける取外し作業に時間がかかり極めて面倒なものであった。
【０００５】
一方、従来技術２では、吹出口にルーバーを有する下側ユニットに室内ファンやファンモータや電気部品箱を収納して上側ユニットから分離するようにしており、分離する下側ユニットが大型化して重くなってしまうという課題があった。そして、従来技術２では、ルーバーとして吹出口を横断するルーバーのみが設けられ、左右方向に風向を変更するルーバーについては開示されていない。
【０００６】
また、従来技術２では、吹出口を横断するルーバを開閉するルーバモータが電気部品箱側と同じ側に配置されているため、電気部品箱をルーバーの側方まで延長して薄形化することができず、室内ファン及び室内熱交換器の横幅を大きくすることの障害になっていた。
【０００７】
本発明の目的は、小型で軽量な吐出カバーを開放するという簡単な作業で横風向板及び縦風向板を同時に開放して貫流ファンの下部を露出することができ、露出した貫流ファンを下方から容易に清掃することができる空気調和機を提供することにある。
【００１４】
【課題を解決するための手段】
本発明は、筐体本体部と、この筐体本体部の前部を覆う筐体前部とで構成される筐体を備えた空気調和機において、前記筐体前部は、筐体前部本体と、吸込口を備えたフロントパネルと、吹出口を備えた吐出カバーとを備え、前記筐体の内部には、前記吸込口と前記吹出口との間の通風路に貫流ファンが配置され、前記フロントパネルは、第１連結部を介して、前記筐体前部本体の上部に開放可能に取り付けられ、前記吐出カバーは、横風向板及び縦風向板を備え、前記貫流ファンの動作時に、前記通風路の一部を形成するとともに、前記貫流ファンを前記通風路に残して、前記筐体前部本体の下部に第２連結部を介して下方に開放可能に取り付けられている構成にしたことにある。
係る本発明の好ましい具体的な構成例は次の通りである。
（１）前記吐出カバーは、前記筐体の底面の一部を構成する底面部と、前記貫流ファンの吹出風路から前記吹出口に至る吐出風路を形成し且つ前記底面部との間に三角形状の空間を形成する風路壁と、前記底面部の両側から延びて前記筐体の両側面の一部を構成する側面部を有し、前記底面部の後側端部が前記第２連結部で軸支され、その第２連結部の前方の底面部及び前記風路壁が下方に開放可能に設けられていること。
（２）前記吐出カバーは、その後側が前記第２連結部で軸支され、その前方を下方に開放可能に設けられ、前記吐出カバーを開放可能とするロックスイッチを、該吐出カバーの前側に設けたこと。
（３）前記吐出カバーは、前記通風路と連通する風路壁を備え、前記風路壁に前記横風向板と前記縦風向板とを備えたこと。
（４）前記第２の連結部は、前記吐出カバーの開放動作を抑制する手段を備えたヒンジ機構を備えていること。
（５）前記吐出カバーは、前記横風向板または前記縦風向板を駆動する風向板モータを備えていること。
（６）前記吐出カバーは、ヒンジ機構を介して前記通風路側の前記筐体に軸支され、第１の所定角度で開放の一次ロックが掛かり、且つ第２の所定角度で開放の二次ロックが掛る係止具を備えていること。
【００２１】
【発明の実施の形態】
以下、本発明の一実施例を図を用いて説明する。
【００２２】
まず、本発明に係る空気調和機の全体構成を主に図１から図６を参照して説明する。
【００２３】
室内ユニット１は、その外観を構成する横長の筐体２、この筐体２に形成される吸込口４１ａ、４１ｂの内側に配置されるエアーフィルタ５、このエアーフィルタ５のさらに内側に配置される熱交換器６、室内空気を前記吸込口４１ａ、４１ｂよりエアーフィルタ５及び熱交換器６を通して吸込んで吹出口４２ｅより吹出す貫流ファン７、この貫流ファン７を駆動するファンモータ及び空気調和機の運転を制御するための電子部品を収納した電気品箱等により構成されている。このファンモータ及び電気品箱は、貫流ファン７及び熱交換器６の側方、この実施例では右側側方の空間に配置されている。そして、貫流ファン７は明度６以上の部材で構成されている。また、電気品箱は、さらに化粧カバー本体４０内において横風向板４４の側方まで延びている。室内ユニット１の大きさは、横幅寸法Ｌが６９０ｍｍ≦Ｌ≦１０００ｍｍ、高さ寸法Ｈが２４０ｍｍ≦Ｈ≦３２０ｍｍ、奥行寸法Ｗが１４０ｍｍ≦Ｗ≦２２０ｍｍの範囲に設定された横長の外形寸法を備えるものが一般的であり、この実施例に係る室内ユニット１は、横幅を７９８ｍｍ、高さを２７０ｍｍ、奥行きを１８３ｍｍとする横長の外形寸法を備え、横幅寸法が高さ寸法の２倍以上となっている。
【００２４】
この室内ユニット１は、一般に室内の壁面上部の天井近く等に設置されることが多く、室外に配置された室外ユニットと冷媒配管、電源接続線、信号接続線等を介して接続されて空気調和機を構成し、冷房、暖房、除湿、空気清浄、送風、及びその他の運転を行うものである。
【００２５】
筐体２は、筐体後部を構成する筐体本体３と、筐体前部を構成する化粧カバー４とを有する。化粧カバー４は筐体本体３に着脱可能に装着されている。この化粧カバー４の具体的装着構造は、上部が突起部と係合部の係合構造、下部がねじによる締結構造となっている。この化粧カバー４を筐体本体３から外すには、下部のねじを外した後に、化粧カバー４の下部を前方上方に回動し、さらに化粧カバー４を上方に持ち上げて上部の係合を解除することにより外すことができる。
【００２６】
また、筐体本体３は、後部ケーシング３０と、この後部ケーシング３０の前方に取付けられた前部ケーシング３１と有している。後部ケーシング３０は、樹脂成形により、吸込風路部、後部露受部、後部ファンケーシング部及び吹出風路部３０ａが一体に形成されている。この後部露受部は熱交換器６の背面側を形成する部分６３に結露した露を受けるものである。また、前部ケーシング３１は、樹脂成形により、貫流ファン７に対する前部ノーズ部３１ａと、熱交換器６の前面側部分６１、６２に結露した露を受ける前部露受部３１ｂとが一体に形成されている。
【００２７】
前部ケーシング３１の前部ノーズ部３１ａと後部ケーシング３０の後部ファンケーシング部との間に横長の貫流ファン７が配置されている。これにより、貫流ファン７は、その前方及び上方に形成される吸込風路７１を通して室内空気を吸込み、下方に形成される吹出風路７２へ吹出すようになっている。
【００２８】
この吸込風路７１は、後部ケーシング３０及びフロントパネル４１により囲まれた空間で形成されている。この吸込風路７１中にエアーフィルタ５及び熱交換器６が配置される。一方、吹出風路７２は、後部ケーシング３０の吹出風路部３０ａと前部ケーシング３１とにより形成され、吐出カバー４２が形成する吐出風路４２ｄに連通している。吐出風路４２ｄは吹出風路７２と同じく貫流ファン７の横幅とほぼ同じ横幅の横長に形成されている。このように、貫流ファン７は吸込口４１ａ、４１ｂと吹出口４２ｅとの間に配置されている。
【００２９】
貫流ファン７及び熱交換器６は、従来よりその横幅が長く形成されており、その側端部と筐体２の側壁との間の空間が狭くなるようにようにし、風量及び熱交換面積を増加して空気調和機の性能を向上するようになっている。これを実現するために、電気品箱は、エアーフィルタ５及び熱交換器６の側方の空間から吐出風路４２ｄの側方の空間にまで延長され、薄形で広い面積を有するように構成されて電子部品の収納面積を確保するようになっている。さらには、横風向板４４の風向板モータ４６を吐出風路４２ｄの反電気品箱側の側方に移動して配置されている。これにより、本実施例では空気調和機の大幅な省電力化を図ることができる。
【００３０】
また、化粧カバー４は、化粧カバー本体４０と、この化粧カバー本体４０の前面部を形成するように取付けられた複数のフロントパネル４１と、化粧カバー本体４０の底面部を形成するように取付けられた吐出カバー４２とを有する。
【００３１】
吐出カバー４２は、化粧カバー本体４０の横幅と同じ幅で形成され、筐体２の横幅全体にわたって形成されている。また、吐出カバー４２は、吐出風路４２ｄを形成する風路壁４２ｂが後部ケーシング３０及び前部ケーシング３１に合致する形状に形成されている。さらに、吐出カバー４２は、吐出風路４２ｄから吹出す風向を変更する２種類の風向板４４、４５を有する。この風向板４４、４５は、２枚の横風向板４４と、多数の縦風向板４５で構成されている。横風向板４４は、吹出す空気の上下方向を変更するものであり、横風向板モータ４６（図１１参照）により回動可能となっており、運転停止時に吐出カバー４２の吐出風路４２ｄの前面をほぼ塞ぐ前面側の横風向板４４とその内側に位置する小さい横風向板４４とより成っており、運転時に所定開度まで回動して停止した状態または回動を繰り返す状態が選択可能になっている。また、縦風向板４５は、吹出す空気の左右方向を変更するものであり、風向板モータ４７（図１２参照）により左右に回動可能になっており、横風向板４４より内側の吐出風路４２ｄ内に配置されている。
【００３２】
化粧カバー本体４０は、樹脂成形により全体が枠状に形成されており、筐体２の前面部及び上面部に吸込開口を有すると共に、底面部に吹出風路を形成する開口を有している。また、化粧カバー本体４０は、吸込開口の中央部に上下前後に延びる中央縦桟と、中央開口の前面上部に左右に延びる上部横桟とを有している。この中央縦桟の下部には発光部８１が設けられている。この発光部８１は、空気調和機の運転状態を表示するために所定の光を発するものである。
【００３３】
フロントパネル４１は、樹脂成形により、前面部及びこの前面部から延長された上面部からなる断面が概略逆Ｌ字状に形成され、筐体２の前面部全体及び上面部全体を形成している。また、フロントパネル４１は、前面に吸込口４１ａを有し、上面に吸込口４１ｂを有している。なお、吸込口４１ａ、４１ｂは多数の横桟よりなるグリル状に形成されている。
【００３４】
また、フロントパネル４１は、横方向に複数に分割されて構成され、この実施例では、左右に分割された２枚のフロントパネルで構成されている。従って、この２枚に分割されたフロントパネル４１の大きさは、１枚のものに比較して半分の大きさとなっている。この２枚のフロントパネル４１は左右に略対称で、その中央側端部が化粧カバー本体４０の中央縦桟４０ｃに一致するように配置されている。また、フロントパネル４１は、側面側端部をヒンジ装置９０を介して化粧カバー本体４０の前面両側に水平方向に回動可能でかつ着脱可能に支持されている。
【００３５】
フロントパネル４１の内側の化粧カバー本体４０にエアーフィルタ５を着脱可能に配置し、フロントパネル４１を左右二つに分割すると共に、このフロントパネル４１のそれぞれの側面側端部を水平方向に回動可能でかつ着脱可能に支持しているので、空気調和機が高い位置に設置されても二つのフロントパネル４１を容易に両側に開放操作することができると共に、エアーフィルタ５の前面を大きく開いてエアーフィルタ５の清掃を容易に行うことができ、また、フロントパネル４１を小形で安価な樹脂成形型で製作できる。
【００３６】
さらに、フロントパネル４１を閉じたときの合わせ目に位置して一方のフロントパネル４１に表示部８２が取付けられている。これにより、フロントパネル４１を閉じたときの合わせ目に隙間を設けてもこの隙間を目立たなくすることができる。
【００３７】
かかる構成において、フロントパネル４１の中央側に手を掛けて前方に引くことにより、その中央側の上下で係合または係着されている状態を解除してフロントパネル４１を両開きすることができる。
【００３８】
エアーフィルタ５は、左右二つに分割されて構成されると共に、前面吸込口４１ａ及び上面吸込口４１ｂにまたがってフロントパネル４１の内側に配置され、かつ熱交換器６の吸込側に配置されるように、化粧カバー本体４０の吸込開口の周縁部に当接して装着されている。
【００３９】
表示装置８０は、運転状態を表示するものであり、図４で明らかなように、運転状態に応じた光を発する発光部８１と、この発光部８１からの光を受けて外部に表示する表示部８２とからなっている。そして、発光部８１は化粧カバー本体４０側の前面中央下部に設けられ、表示部８２はフロントパネル４１の一方の前面中央側端部に縦長に設けられ、両者８１、８２は分離して構成されている。
【００４０】
このように、発光部８１と表示部８２を分離することにより、フロントパネル４１を化粧カバー本体４０から取外す際に発光部８１を化粧カバー本体４０側に残すことができるので、フロントパネル４１を容易に着脱できると共に、化粧カバー本体４０側の表示部８２を容易に掃除することができる。そして、発光部８１からの光を反射板で反射させ、これを細長の表示板で受けて外部に表示することにより、空気調和機の使用者が大きな面積の表示板で運転状態を確認することができるので、使い勝手が良好である。
【００４１】
冷凍サイクルの一部を構成する熱交換器６は、図３に示すように、複数の熱交換器６１〜６３を組合わせて構成され、具体的には、前面吸込口４１ａ及び上面吸込口４１ｂに対向するように前面下部熱交換器部６１、前面上部熱交換器部６２及び後部熱交換６３より構成されている。なお、熱交換器６は、図３以外の図では省略してある。前面下部熱交換器部６１は概略垂直に配置され、前面上部熱交換器部６２は斜め上方に傾斜して配置され、後部熱交換器部６３は斜め下方に傾斜して配置されている。なお、前面上部熱交換器部６２と後部熱交換器部６３とは概略逆Ｖ字形に形成されている。何れの熱交換器６１、６２、６３も多数のアルミニューム製放熱フィンを狭い間隔で並置して熱交換パイプを貫通させたクロスフィン形熱交換器で構成され、各熱交換器６１、６２、６３の熱交換パイプの間を接続パイプで接続し、連通することにより一つの熱交換器６として構成されている。このように、熱交換器６は、複数の熱交換器６１、６２、６３が各吸込口４１ａ、４１ｂに対向して構成しているので、その熱交換器吸込面積を大きなものとすることができる。この吸込口４１ｂが開くので、後部熱交換器部６３の洗浄も容易である。
【００４２】
室内空気を送風するための貫流ファン７は、前面下部熱交換器部６１の後方で、かつ前面上部熱交換器部６２及び後部熱交換器部６３の下方に位置して設けられている。この貫流ファン７を回転することにより、室内空気を吸込風路７１側から吸込んで、吹出風路７２側から吹出すものである。
【００４３】
次に、かかる空気調和機の基本的な運転動作を説明する。
【００４４】
ここでは、冷房運転を代表して説明する。冷房運転は、冷凍サイクルを動作させると共に、室外機のファン及び室内ユニット１の貫流ファン７を回転させることにより行われる。この冷凍サイクルの動作により熱交換器６は低温となる。また、貫流ファン７の回転により、室内空気は、吸込口４１ａ、４１ｂから吸込まれ、エアーフィルタ５にて除塵された後、熱交換器６を通る際に冷却、除湿されて貫流ファン７に至り、吹出風路７２を通って、吐出風路４２ｄから室内に吹出される。これにより、所定の冷房運転が行われる。また、この冷房運転時には、横風向板モータ４６により横風向板４４を開いて回動または所定位置に停止すると共に、縦風向板モータ４７により縦風向板４５を回動または所定位置に停止するものである。
【００４５】
この冷房運転において、前面側の熱交換器部６１、６２に結露した露は、前部ケーシング３１の前部露受部に流下し、この前部露受部から室内ユニット１の背面下部に集められ、外部に排水される。一方、後部側の熱交換器部６３に結露した露は、後部露受部に流下し、この後部露受部の両側から室内ユニット１の背面下部に集められ、外部に排水される。
【００４６】
次に、吐出カバー４２に係る構成及び機能の詳細について図７から図１３も参照しながら説明する。
【００４７】
吐出カバー４２は、合成樹脂で製作され、図２及び図５で明らかなように筐体２の底面前側角部を構成するものであり、筐体２の横幅全体にわたって設置されると共に、筐体２に回動可能に軸支されている。具体的には、吐出カバー４２は、化粧カバー本体４０の底面角部を構成するものであり、後側下端部がトルクヒンジ４３を介して回動可能に後部ケーシング３０に軸支されている。これにより、吐出カバー４２は、図２及び図５に示す筐体２に取付けられた運転位置の状態から図３及び図６に示す筐体２から開放された状態に回動することができる。
【００４８】
そして、吐出カバー４２は、筐体２の底面の一部を構成する底面部４２ａと、貫流ファン７の吹出風路７２から吹出口４２ｅに至る吐出風路４２ｄを形成する風路壁４２ｂと、底面部４２ａの両側から延びて筐体２の両側面の一部を構成する側面部４２ｃとを有している。
【００４９】
底面部４２ａは、前方上方に若干高くなるように傾斜して形成され、その両側端部が筐体２の両側面部と同じ位置まで延びており、前側上端部がフロントパネル４１の下端部と若干の間隙を有して略一致する位置まで延びており、図３に示すように後側下端部が筐体２の底面部と略一致する位置まで延びて設けられている。また、底面部４２ａの後側下端部の裏側には、図7で明らかなようにヒンジ取付け部４２ｆが形成されている。
【００５０】
風路壁４２ｂは、吹出風路７２を形成する後部ケーシング３０、３１から前方下方に位置する吹出口４２ｅに至る底面部４２ａまで前方に低く傾斜して延びる筒状に形成され、その内側を吐出風路４２ｄとしている。換言すれば、風路壁４２ｂは底面部４２ａから後部ケーシング３０、３１まで後方に高く傾斜して延びている。そして、風路壁４２ｂの下面部は、図３で明らかなように貫流ファン７の直下で且つ吹出風路７２の直下に面するように位置していると共に、底面部４２ａとの間に三角形状の空間４２ｇを形成する。
【００５１】
また、電気品箱側の風路壁４２ｂと側面部４２ｃとの間に位置する部分に赤外線信号透過部４２ｈが形成されている。この赤外線信号透過部４２ｈは、リモコンから赤外線信号を容易に透過する半透明部材で形成され、その後方に位置する受光素子と対応する位置に設けられている。
【００５２】
両側の側面部４２ｃは、図１で明らかなように筐体２の両側面部と略同一の平面を形成しており、前側上部にロックスイッチ４９が設置されている。
【００５３】
トルクヒンジ４３は、図９及び図１０に示すように、ヒンジ機構を構成する吐出側ヒンジ部材４３ａと筐体側ヒンジ部材４３ｂとから成っており、それぞれにねじを通すための孔４３ｃ、４３ｄが設けられている。吐出側ヒンジ部材４３ａと筐体側ヒンジ部材４３ｂは、ヒンジ部と孔部により摩擦係合され、回動された際に任意の位置までスローダウンし静止できるものである。また、吐出側ヒンジ部材４３ａの強度を筐体側ヒンジ部材４３ｂの強度より弱く設定されている。
【００５４】
そして、このトルクヒンジ４３は、図７に示すように、吐出側ヒンジ部材４３ａが吐出カバー４２のヒンジ取付け部４２ｆにねじ４３ｅを介して着脱可能に取付けられており、筐体側ヒンジ部材４３ｂが後部ケーシング３０の下端部の見え難い位置ににねじ４３ｆを介して着脱可能に取付けられている。また、トルクヒンジ４３は図８に示すように左右の二個所のほぼ対称位置に設けられている。これにより、吐出カバー４２は、筐体２の後部ケーシング３０に回動可能に軸支されている。
【００５５】
図２及び図５に示すように、吐出カバー４２の前端部と化粧カバー本体４０の前端部との間は係止具４８により連結されている。即ち、係止具４８は、折り畳み可能な合成樹脂部材で構成され、吐出カバー４２が運転位置の状態では図２に示すように折り畳まれ、吐出カバー４２が開放された状態では図５に示すように吐出カバー４２の前端部を吊り下げるように延ばされる。この吐出カバー４２が開放される場合において、吐出カバー４２の回動により第１の所定角度（この実施例では８０°）で一旦ロックが掛り、さらに回動することにより第２の所定角度（この実施例では９０°）で最終的なロックが掛るようになっている。なお、係止具４８は一側の端部に設けられている。また、係止具４８は図２及び図５以外では図示を省略している。
【００５６】
横風向板４４は、図３に示すように、大小二つの風向板で構成されており、吐出風路４２ｄ内に配置され、吐出カバー４２に回動可能に装着されている。大きい方の横風向板４４は、運転停止時には吹出口４２ｅを塞ぐように位置して底面部４２ａと略同一平面を形成し、運転時には吹出口４２ｅを開くように回動または所定位置に停止して空調空気を吹出すようになっている。小さい方の横風向板４４は、運転停止時には大きい方の横風向板４４の裏側に位置し、運転時には大きい方の横風向板４４と共に回動または所定位置に停止して空調空気を吹出すようになっている。
【００５７】
図１１に示す横風向板モータ４６はこの大小の横風向板４４をそれぞれ駆動するように二つ並べて風路壁４２ｂの側面部の裏側に装着されている。そして、この横風向板モータ４６は、風路壁４２ｂの側面部と側面部４２ｃとで形成される空間で反電気品箱側の有効に利用され難い空間（無効空間）に配置されている。電気配線４６ａは、電気品箱から横風向板モータ４６への電気配線であり、空間４２ｇ内に収納され、風路壁４２ｂの底面部の裏側に沿って設置されている。
【００５８】
縦風向板４５は、図４に示すように、多数の風向板で構成されて横風向板４４の内側に配置され、多数の風向板が連動板４５ａにより連動して左右方向に風向を変更するように回動可能に吐出カバー４２に装着されている。
【００５９】
図１２に示す縦風向板モータ４７は、連動板４５ａを介して縦風向板４５を駆動するように風路壁４２ｂの底面部の裏側に装着され、空間４２ｇ内に収納されている。
【００６０】
吐出カバー４２の両側の側面部４２ｃに設けられたロックスイッチ４９は、図２に示す運転位置の状態では、斜め下方に移動するようになっている。これにより、ロックスイッチ４９を斜め下方に移動させてロック状態を解除し、そのまま下方に力を加えることにより吐出カバー４２を簡単に解放することができる。ロックスイッチ４９は、図１３に示すように、吐出カバー４２の側面部４２ｃの外面に露出する操作部４９ａと、この操作部４９ａに一体に形成されると共に化粧カバー本体４に係着可能な係着部４９ｂと、この係着部４９ｂを係着方向に押圧するコイルばね４９ｃとからなっている。吐出カバー４２のロック状態を解除するには、この操作部４９ａを斜め下方に（図１３では左方に）移動するように押すことにより、コイルばね４９ｃのばね力に抗して係着部４９ｂが移動され、化粧カバー本体４０との係着が外れて吐出カバー４２が回動可能になる。
【００６１】
上述した説明から明らかなように、吐出カバー４２は、横風向板４４、横風向板モータ４６、縦風向板４５及び縦風向板モータ４７を装着し且つ貫流ファン７を筐体２側に残した状態で開放可能に筐体２に取付けられている。
【００６２】
本実施例においては、横風向板４４及び縦風向板４５を装着し且つ貫流ファン７を筐体２側に残した状態で開放されるように吐出カバー４２を筐体２に取付けているので、空気調和機が高所に配置されていても、吐出カバー４２を開放するという簡単な作業で横風向板４４と縦風向板４５を同時に筐体２から開放して貫流ファン７の下部を露出することができ、露出した貫流ファン７を下方から容易に清掃することができる。
【００６３】
そして、吐出カバー４２は横風向板４４及び縦風向板４５を装着し且つ貫流ファン７を筐体２側に残した状態で下方に開放されるように筐体２に取付けているので、高所に配置された空気調和機における吐出カバー４２を開放する作業方向が作業者の手元方向になり、容易に吐出カバー４２を開放することができる。
【００６４】
そして、明度６以上の部材で貫流ファン７を構成しているので、清掃の対象である貫流ファン７が格段に見易くなると共に、清掃前後の還流ファン７の汚れ状態を容易に確認することができる。
【００６５】
また、前部ケーシング３１及び後部ケーシング３０から吹出口に至る吐出風路４２ｄを吐出カバー４２の風路壁４２ｂにより形成し、横風向板４４及び縦風向板４５を装着し且つ貫流ファン７を筐体２側に残した状態で開放されるように吐出カバー４２を筐体２に取付けているので、吐出カバー４２を開放するという簡単な作業で横風向板４４と縦風向板４５を同時に筐体２から開放して貫流ファン７の下部を露出することができると共に、吐出風路４２ｄを形成する風路壁４２ｂも開放して貫流ファン７の露出側の開放空間を大きく開口できると共に、光が入り易くなって貫流ファン７が見易くなり、露出した貫流ファン７をより一層容易に清掃することができる。
【００６６】
そして、貫流ファン７の吹出風路７２より吹出口４２ｅが位置する吐出風路４２ｄを形成した風路壁４２ｂの傾斜下面部及びその下方部分を筐体２より外方へ開放するように吐出カバー４２を設けているので、特に貫流ファン７の直下部分に大きな開放空間を形成できると共に光が直下部から入り易くなって貫流ファン７がさらに見易くなり、露出した貫流ファン７の清掃作業をさらに容易に行なうことができる。
【００６７】
また、吐出カバー４２は、筐体２の底面前側角部を構成するように設置し、横風向板４４及び縦風向板４５を装着し且つ貫流ファン７を筐体２側に残した状態で回動されるように前後一側を筐体２に軸支しているので、吐出カバー４２の前後一側を支点として回動させるという極めて簡単な作業で素早く貫流ファン７の下部を露出することができる。
【００６８】
そして、吐出カバー４２は下方に回動されるように後側下端部に筐体２を軸支しているので、吐出カバー４２の後側下端部を支点として下方に回動することにより、縦風向板４５が下方に位置ししかも前方に面して露出することとなり、縦風向板４５の清掃を前方から容易に行なうことができる。
【００６９】
そして、吐出カバー４２は回動されるようにヒンジ機構を介して筐体２に軸支し、ヒンジ機構は、筐体２側より吐出カバー４２側を弱い強度とすると共に、その弱い吐出側部材を取り換え可能に設けているので、万一、吐出カバー４２に強い力を加えてしまっても、ヒンジ機構の吐出カバー４２側の部材が破損するだけで済み、この吐出カバー４２の部材を交換するだけで元の状態に修復することができる。
【００７０】
また、吐出カバー４２は、筐体２の底面前側角部の横幅全体にわたって設置し、横風向板４４及び縦風向板４５を装着し且つ貫流ファン７を筐体２側に残した状態で開放されるように筐体２に取付けているので、吐出カバー４２の両側面が筐体２の両側面として露出することとなり、両手で吐出カバー４２の両側面を持って安定して簡単に吐出カバー４２を開放することができ、その開放作業を容易に行なうことができる。
【００７１】
そして、吐出カバー４２はロックスイッチ４９を両側面に設置しているので、両手で吐出カバー４２の両側面のロックスイッチ４９を操作してロック状態を解除した状態から吐出カバー４２の両側面を持って開放する動作にそのまま移行することができ、吐出カバー４２の開放作業を極めて容易に行なうことができる。
【００７２】
そして、吐出カバー４２の底面内側で且つ吐出風路の側方に位置する筐体２側にリモコンからの赤外線信号を受信するための受光素子を設置すると共に、この受光素子の外側に位置する吐出カバー４２部分を赤外線透過部材４２ｈで形成しているので、リモコンからの赤外線信号による制御に支障なく、筐体２の底面前側角部の横幅全体にわたって吐出カバー４２を設置することができる。
【００７３】
また、吐出カバー４２は横風向板４４及び縦風向板４５を装着し且つ貫流ファン７を筐体２側に残した状態で回動されるように前後一側をトルクヒンジ４３を介して筐体２に軸支しているので、吐出カバー４２が自重で回動してしまうことがなく、吐出カバー４２を回動して開放する際に、カーテンレール等の障害物に衝突しないように吐出カバー４２を任意の回動位置までスローダウンし静止することが可能である。
【００７４】
そして、吐出カバー４２は横風向板４４、縦風向板４５及び風向板モータ４６または４７を装着した状態で回動されるように前後一側をトルクヒンジ４３を介して筐体２に軸支しているので、風向板モータ４６または４７を筐体２側に設ける場合のように風向板４４または４５との間に分離可能なギヤを介する等の必要がなく、安価な構成とすることができると共に、風向板モータ４６または４７を装着した状態でトルクヒンジ４３により任意の位置で吐出カバー４２を静止させることができる。
【００７５】
また、吐出カバー４２は、前後一側をヒンジ機構を介して筐体２に軸支すると共に、第１の所定角度で回動に一次ロックが掛かり且つ第２の所定角度で回動に二次ロックが掛る係止具４９を介して筐体２に取付けているので、吐出カバー４２を制限開度以上に回動しないように容易に操作することができる。
【００７６】
また、フロントパネル４１を水平方向に回動可能に吐出カバー４２に軸支し、横風向板４４及び縦風向板４５を装着し且つ貫流ファン７を筐体２側に残した状態で下方へ回動されるように吐出カバー４２の後側下端部を筐体２軸支しているので、フロントパネル４１を水平方向に回動することと吐出カバー４２を下方に回動することを独立して行うことができ、この両方４１、４２を開放した状態で前方及び下方からフロントパネル４１及び吐出カバー４２を共に開放して、エアーフィルタ５、熱交換器６、貫流ファン７及び縦風向板４５の清掃を行うことができる。
【００７７】
また、貫流ファン７の一側側方に配置した電気品箱を横風向板４４の一側側方に延長して位置するように設置し、横風向板４４を駆動する風向板モータ４６を横風向板４４の他側側方に位置するように設置しているので、電気品箱の面積を上下方向で広くすることができてこれを薄形化することができ、しかも風向板モータ４６を横風向板４４の他側の無効空間を利用して設置しており、これに伴って貫流ファン７及び熱交換器６を横幅を長くすることができる。従って、小型の筐体２で熱交換面積及び風量を増大して、空気調和機の大幅な省電力化を図ることができる。
【００７８】
また、風向板モータ４６は、横風向板４４の反電気品箱側の側方に位置して設置すると共に、電気品箱から風路壁４２ｂの裏側を通して電気配線４６ａを設けているので、風向板モータ４６の電気配線４６ａが吐出カバー４２を開放しても前方下方から見えない状態とすることができ、意匠上優れたものとすることができる。
【００７９】
【発明の効果】
本発明によれば、小型で軽量な吐出カバーを開放するという簡単な作業で横風向板及び縦風向板を同時に開放して貫流ファンの下部を露出することができ、露出した貫流ファンを下方から容易に清掃することができる。
【図面の簡単な説明】
【図１】本発明の一実施例に係る空気調和機の斜視図である。
【図２】同空気調和機の側面図である。
【図３】同空気調和機の中央縦断面図である。
【図４】同空気調和機のフロントパネルおよび吐出カバーの開放状態の斜視図である。
【図５】同空気調和機の吐出カバーの開放時の側面図である。
【図６】同空気調和機の吐出カバーの開放時の中央縦断面図である。
【図７】同空気調和機の吐出カバーの開放時の中央要部縦断面拡大図である。
【図８】同空気調和機に用いる吐出カバーの平面図である。
【図９】同空気調和機に用いるトルクヒンジの開いた状態の説明図である。
【図１０】同空気調和機に用いるトルクヒンジの閉じた状態の説明図である。
【図１１】同空気調和機の縦風向板モータ部の縦断面図である。
【図１２】同空気調和機の横風向板モータ部の縦断面図である。
【図１３】同空気調和機のロックスイッチ部の縦断面図である。
【符号の説明】
１…室内ユニット、２…筐体、３…筐体本体、４…化粧カバー、５…エアーフィルタ、６…熱交換器、７…貫流ファン、３０…後部ケーシング、３０ａ…吹出風路部、３１…前部ケーシング、３１ａ…前部ノーズ部、３１ｂ…露受部、４０…化粧カバー本体、４１…フロントパネル、４１ａ…前面吸込口、４１ｂ…上面吸込口、４２…吐出カバー、４２ａ…底面部、４２ｂ…風路壁、４２ｃ…側面部、４２ｄ…吐出風路、４２ｅ…吹出口、４２ｆ…ヒンジ取付け部、４２ｇ…空間、４２ｈ…赤外線信号透過部、４３…トルクヒンジ、４３ａ…吐出側ヒンジ部材、４３ｂ…筐体側ヒンジ部材、４４…横風向板４４、４５…縦風向板、４５ａ…連動板、４６…横風向板モータ、４６ａ…電気配線、４７…縦風向板モータ、４２ｅ…吹出口、４８…係止具、４９…ロックスイッチ、７１…吸込風路、７２…吹出風路、８０…表示装置、８１…発光装置、８２…表示部、９０…ヒンジ装置。
【図１】
0003828377.tif 000002
【図２】
0003828377.tif 000003
【図３】
0003828377.tif 000004
【図４】
0003828377.tif 000005
【図５】
0003828377.tif 000006
【図６】
0003828377.tif 000007
【図７】
0003828377.tif 000008
【図８】
0003828377.tif 000009
【図９】
0003828377.tif 000010
【図１０】
0003828377.tif 000011
【図１１】
0003828377.tif 000012
【図１２】
0003828377.tif 000013
【図１３】
0003828377.tif 000014